(57)【特許請求の範囲】
【請求項１】
少なくとも一時的に画像を保持可能な転写媒体上に、画像情報に基づきトナー像形成手段により熱焼結性着色剤と結着樹脂とを含むトナーを用いてトナー像を形成する画像形成装置において、
上記トナー像形成手段が、トナー像担持体と、該トナー像担持体上にトナー像を形成するトナー像形成装置と、該トナー像担持体上に形成されたトナー像を、上記転写媒体に転写する転写装置とを有し、互いに異なる種類の複数のトナーそれぞれで形成された複数のトナー像を形成するものであり、
一種のトナーを用いて形成すべきトナー像についての前記画像情報に基づき、該トナー像の形成のための前記トナー像形成手段の全部あるいは一部の動作を、複数回に分けるか否かを判別する判別手段と、
該判別手段による判別結果が複数回に分けるという結果の場合に、２回目以降の前記動作を行わせる制御手段とを設け、
上記動作が、前記トナー像担持体上へのトナー像の形成を含み、
上記複数のトナー像のうち、上記判別手段により上記動作を複数回に分けると判別されたトナー像についての上記２回目以降の動作を、上記転写媒体上で、異なる種類のトナーからなるトナー像の上に重なるように行うことを特徴とする画像形成装置。
【請求項２】
請求項１の画像形成装置において、
上記転写媒体上で、前記複数のトナー像が、透過性のよいトナーで構成されるトナー像ほど上記被転写体上で上方に位置するように、トナー像を形成することを特徴とする画像形成装置。
【請求項３】
請求項１又は２に記載の画像形成装置において、
トナーの着色剤として、金属酸化物、金属酸化物の固溶体、金属複酸化物、金属複酸化物の固溶体、珪酸塩、珪酸塩の固溶体、硫化物、硫セレン化物のいずれかを含むことを特徴とする画像形成装置。
【発明の詳細な説明】
【０００１】
【発明の属する技術分野】
本発明は、少なくとも一次的に画像を保持可能な転写媒体上に、画像情報に基づきトナー像形成手段によりトナーを用いてトナー像を形成する画像形成装置に関し、特に、陶磁器、ホーロー、ガラス等の被転写体、又は該被転写体に画像を形成するのに用いる転写紙等の転写媒体へ画像を形成するのに適した画像形成装置に関するものである。
【０００２】
【従来の技術】
従来、陶磁器、ホーロー、ガラス等に絵柄を形成するのに、転写紙を用いた方法が広く用いられる。図８は、上記転写紙９００への絵柄の形成工程及び絵柄形成後の上記転写紙を用いた陶磁器などの被転写体への絵柄の形成工程を示すものである。まず、転写紙９００として台紙９０１上に水溶性の糊層９０２を形成したものを用意する（図８（ａ））。この糊層９０２表面上に例えばスクリーン印刷で絵柄の層９０３を形成する（図８（ｂ））。この絵柄層９０３及び糊層９０２の表面に合成樹脂を塗布することによって樹脂層９０４を形成する（図８（ｃ））。このようにして絵柄層９０３及び絵柄保持層９０４を形成後の転写紙９００を用いた被転写体への絵柄の形成にあたっては、まず、絵柄層９０３及び絵柄保持層９０４形成後の転写紙９００を水に浸して糊層９０２を溶かし、台紙９０１と絵柄層９０３付きの樹脂層９０４を分離する（図８（ｄ））。この絵柄層付きの樹脂層９０４を陶磁器などの被転写体９０５の表面に張り付ける（図８（ｅ））。そして、焼成する（図８（ｆ））。これにより、陶磁器などの被転写体９０５に絵柄を形成する。
【０００３】
ここで、図８（ｂ）の絵柄層９０３の形成は、通常スクリーン印刷によって行われている。しかし、スクリーン印刷では版の作成に多大の時間を要する等の理由で多品種少量生産には不向きである。
そこで、スクリーン印刷に代え、乾式複写機による乾式印刷を用いて絵柄層を形成することが提案されている（例えば、特開平４−１３５７９８号、特開平７−１９９５４０号参照。）。
【０００４】
【発明が解決しようとする課題】
ところが、本発明者らの研究によれば、上記乾式複写機などの画像形成装置を用いて上記絵柄層を形成するために、トナーとして熱焼結性着色剤と結着樹脂とを含むトナー（以下、熱焼結性トナーという）を用いる場合、この熱焼結性トナーの着色度が通常トナーに比して小さいために、トナー像の色がうすくなってしまうという不具合が存在することが判明した。
【０００５】
従来の画像形成装置においては、トナー像担持体としての例えば感光体上で、０．８mg/（平方cm）程度のトナー付着質量が光学濃度（ＩＤ）１．５に相当していた。ところが、上記熱焼結性トナーでは、感光体上での０．８mg/（平方cm）程度のトナー付着質量は光学濃度（ＩＤ）０．３〜０．４程度にしか相当しない。これは、熱焼結性トナーが通常トナーの２倍の比重でほぼ同一の粒径を持ち、しかも、上記熱焼結性着色剤を含むトナー自体の着色度が通常トナーに比して格段に小さいためである。特定のトナーについてみれば、上記トナー付着質量と光学濃度とがほぼ比例することから、同一の光学濃度を得るためには、ほぼ４倍のトナー付着質量にする必要があり、例えば、上記光学濃度（ＩＤ）１．５を得るには、３．２mg/（平方cm）程度のトナー付着質量が必要である。上述のように、比重が２倍でかつほぼ同一粒径であるため、個数あるいは体積としては、従来の２倍にする必要がある。
【０００６】
そこで、感光体上でのトナー付着量が多くなるように、トナー像形成にあたっての各種条件、例えば電子写真方式であれば、帯電・露光・現像などの条件を、従来とは異ならせることも考えられる。しかし、従来の画像形成装置において、トナー像担持体上でのトナー付着量を増大させるには限界がある。例えば、従来の電子写真方式の画像形成装置では、感光体上でトナー付着質量の最大値は、１．５mg/（平方cm）程度である。一個当たりのトナー帯電量が同程度であるとすると、比重が２倍であることから、同一の画像形成条件での熱焼結性トナーの付着質量の最大値は、３．０mg/（平方cm）程度であり、上述の光学濃度（ＩＤ）１．５を得るために必要なトナー付着質量である３．２mg/（平方cm）程度には及ばない。
【０００７】
以上は、トナーとして熱焼結性トナーを用いた場合のトナー像担持体での必要トナー付着量を得ることの困難にともなう不具合であるが、トナーとして熱焼結性トナー以外のトナーを用いる場合にも同様の不具合が起こりえる。また、トナー像担持体として、最初にトナー像を形成する例えば感光体について例示したが、中間転写ベルトなどの中間的なトナー像担持体で、必要なトナー付着量を得ることが困難（例えば転写能力の制約などによる）ことに起因する同様の不具合も起こり得る。
【０００８】
また、互いに色が異なる上記熱焼結性トナーを複数用いて、上記転写紙上にトナー像の重ね合わせでカラートナー像を形成し、この転写紙を用い上述の手順によって被転写体９０５に絵柄を形成した場合、転写紙上でのトナー像の重ね合わせの順番設定によっては、被転写体９０５上の絵柄の色再現性が悪くなるという不具合が存在することが判明した。これは、通常トナーの光不透過度（例えば、ＯＨＰなどの透明シート上に形成したトナー像のヘイズ度（くもり度）を測定）が１３〜１４％であるのに対し、熱焼結性トナーのそれが８０〜９０％と大きく、かつ、熱焼結性トナーのうちでも色によって光不透過度に差があるためと考えられる。更に、画像形成装置における熱定着後の重ね合わせトナー像を構成する各色トナー同士が溶融して混ざり合う傾向が、通常トナーよりも小さいことも、上記色再現性に影響しているものと考えられる。
【０００９】
本発明は以上の背景に鑑みてなされたものであり、その目的は、一種のトナーを用いて形成すべきトナー像について、単位面積あたり所望のトナー付着量を得ることが可能な画像形成装置を提供することである。また、その他の目的は、さらに、トナーとして熱焼結性トナーを用いる場合に、色再現性を向上させることができる画像形成装置を提供することである。
【００１０】
【課題を解決するための手段】
上記問題点を解決するために、請求項１の画像形成装置は、少なくとも一時的に画像を保持可能な転写媒体上に、画像情報に基づきトナー像形成手段により熱焼結性着色剤と結着樹脂とを含むトナーを用いてトナー像を形成する画像形成装置において、上記トナー像形成手段が、トナー像担持体と、該トナー像担持体上にトナー像を形成するトナー像形成装置と、該トナー像担持体上に形成されたトナー像を、上記転写媒体に転写する転写装置とを有し、互いに異なる種類の複数のトナーそれぞれで形成された複数のトナー像を形成するものであり、一種のトナーを用いて形成すべきトナー像についての前記画像情報に基づき、該トナー像の形成のための前記トナー像形成手段の全部あるいは一部の動作を、複数回に分けるか否かを判別する判別手段と、該判別手段による判別結果が複数回に分けるという結果の場合に、２回目以降の前記動作を行わせる制御手段とを設け、上記動作が、前記トナー像担持体上へのトナー像の形成を含み、上記複数のトナー像のうち、上記判別手段により上記動作を複数回に分けると判別されたトナー像についての上記２回目以降の動作を、上記転写媒体上で、異なる種類のトナーからなるトナー像の上に重なるように行うことを特徴とするものである。
請求項２の画像形成装置は、請求項１の画像形成装置において、上記転写媒体上で、前記複数のトナー像が、透過性のよいトナーで構成されるトナー像ほど上記被転写体上で上方に位置するように、トナー像を形成することを特徴とするものである。
請求項３の画像形成装置は、請求項１又は２に記載の画像形成装置において、
トナーの着色剤として、金属酸化物、金属酸化物の固溶体、金属複酸化物、金属複酸化物の固溶体、珪酸塩、珪酸塩の固溶体、硫化物、硫セレン化物のいずれかを含むことを特徴とするものである。
【００１６】
【発明の実施の形態】
以下、本発明を画像形成装置としての電子写真複写機（以下、単に「複写機」という）に適用した実施形態について説明する。
｛複写機２００の概略構成、動作｝
まず、複写機２００の概略構成図である図２を用いて、本実施形態にかかる複写機の構成、動作につき説明する。
本実施形態における複写機２００は、大きくは、画像読み取り手段としてのスキャナ１０１と画像出力手段としてのプリンタ２０１とからなる。
上記スキャナ１０１は、原稿画像を光学的に読み取るためのものであり、原稿載置台としてのコンタクトガラス２０９、露光ランプ２１０、反射ミラー２１１、結像レンズ２１２、及びＣＣＤイメージセンサ２１３等からなる。上記露光ランプ２１０としては、ハロゲンランプが使用されるのが一般的である。このスキャナ１０１による原稿画像の読み取りは次のようにして行われる。
【００１７】
上記コンタクトガラス２０９上に載置された原稿を露光ランプ２１０によって光照射し、原稿からの反射光を反射ミラー２１１等により結像レンズ２１２に導く。この結像レンズ２１２にて上記反射光をＣＣＤイメージセンサ２１３上に結像させる。該ＣＣＤイメージセンサ２１３は、上記反射光を原稿画像に対応したデジタル電気信号に変換する。このＣＣＤイメージセンサ２１３は、フルカラーイメージセンサであり、与えられ光信号を、例えば、Ｒ（レッド）、Ｇ（グリーン）及びＢ（ブルー）の各色に色分解し、各色に対応したデジタル電気信号を出力する。また、上記ＣＣＤイメージセンサ２１３は、図面に対して垂直方向（この方向を主走査方向ともいう。）に列状に配置されている。
上記ＣＣＤイメージセンサ２１３の出力であるデジタル電気信号は、後述する画像処理部にて、色変換処理等の画像処理がなされ、シアン（Ｃｙａｎ：以下、Ｃという）、マゼンタ（ Ｍａｇｅｎｔａ：以下、Ｍという）、イエロー（Ｙｅｌｌｏｗ：以下、Ｙという）及び黒（以下、ＢＫという）のカラー画像データとなる。これらカラー画像データに基づき、次に述べるプリンタ１１２にて、Ｃ、Ｍ、Ｙ、ＢＫのトナーにより顕像化を行い、得られたトナー像を重ねあわせてフルカラーの画像を形成する。
【００１８】
上記プリンタ１１２の略中央部には、像担持体としての感光体２１５が配置されている。該感光体２１５は、有機感光体（ＯＰＣ）ドラムであり、その外径は、１２０ｍｍ程度である。上記感光体の周囲には、感光体表面を一様に帯電する帯電装置２０７、ＢＫ現像ユニット２０２、Ｃ現像ユニット２０３、Ｍ現像ユニット２０４、Ｙ現像ユニット２０５、中間転写ベルト２０６、及びクリーニング装置等が配置されている。
また、上記感光体の上方であって、上記スキャナ１０１の下方には、前述したカラー画像データに基づいて光ビームを発生して、一様帯電された上記感光体２１５表面を光走査するレーザ光学系２０８が設けられている。このレーザ光学系２０８は、光ビームを発生するレーザダイオード、該光ビームを偏向するポリゴンミラー等からなる。
【００１９】
かかる構成によって行われるプリンタ１１２における画像形成動作を、ＢＫ画像データに基づく場合を例にして説明すれば次のとおりである。
上記レーザ光学系２０８からのＢＫ画像データに基づく光ビームにより感光体２１５表面上に形成された潜像は、これに対応するＢＫ現像ユニット２０２によって現像され、、ＢＫトナー像となる。このトナー像は、上記中間転写ベルト２０６に転写される。以下、この感光体２１５から中間転写ベルト２０６へのトナー像の転写をベルト転写という。
以上のような、潜像の形成、現像、及びベルト転写という一連の動作が、ＣＭＹＢＫの４色について行われ、中間転写ベルト２０６上には４色重ねトナー像が形成される。この４色重ねトナー像を、給紙ユニット２１６から給送されてきた記録媒体、例えば記録紙上に、転写バイアスローラ２１７によって、一括して転写する。
上記４色重ねトナー像が形成された記録媒体は、搬送ベルト２１８によって定着装置２１９に搬送される。上記定着装置２１９は、加熱及び加圧によって４色重ねのトナー像を溶融し、記録媒体上に定着する。定着が完了した記録媒体は、排紙トレイ２２０上に、排出される。
一方、感光体２１５の表面に残留したトナーは、クリーニング装置２１４によって回収され、感光体２１５表面のクリーニングが行われる。クリーニング後の感光体２１５表面は、除電装置２２１によって除電される。
また、４色重ね画像を中間転写ベルト２０６から記録媒体上に転写した後に、上記中間転写ベルト２０６上に残留したトナーは、ベルトクリーニング装置２２２によって回収され、中間転写ベルト２０６表面のクリーニングが行われる。
【００２０】
｛画像処理部｝
次に、図３に基づいて複写機２００の画像処理部について説明する。
図３は画像処理部の概略構成を示すブロック図である。
スキャナ１０１からのＲ、Ｇ、及びＢの３色に色分解されたデジタル信号は、まず、シェーディング補正回路１０２に入力される。このシェーディング補正回路１０２は、ＣＣＤイメージセンサ２１３の各素子の特性のばらつきや露光ランプ２１０の照度むら等による影響を補正するためのものである。シェディング補正回路１０２からの出力はＲＧＢγ補正回路１０３に入力される。このＲＧＢγ補正回路１０３によって、スキャナ１０１からのデジタル信号を反射率データから明度データに変換する。
【００２１】
ＲＧＢγ補正回路１０３の出力は、画像分離回路１０４及びＭＴＦ（Ｍｏｄｕｌａｔｉｏｎ  Ｔｒａｎｓｆｅｒ  Ｆｕｎｃｔｉｏｎ）補正回路１０５に入力される。上記画像分離回路１０４は、原稿画像における文字部と絵柄部との判定及び原稿画像における有彩色と無彩色との判定を行い、その結果を出力する。この画像分離回路１０４の出力は、後述するＭＴＦ補正回路１０５、色変換−ＵＣＲ処理回路１０６、変倍回路１０７、インターフェース１１４、画像加工回路１０８、ＭＴＦフィルタ１０９、判定回路５０１、γ補正回路１１０、及び、階調処理回路１１１に入力され、各回路等における処理に利用される。
【００２２】
上記ＭＴＦ補正回路１０５は、スキャナ１０１等の入力系の周波数特性を補正するものであり、特に高周波領域における周波数特性の劣化を補正する。上記ＭＴＦ補正が終了した信号は、色相判定回路１２２及び色変換−ＵＣＲ回路１０６に入力される。上記色判定回路１２２は、ＭＴＦ補正回路１０５からの出力信号が、Ｒ、Ｇ、Ｂ、Ｃ、Ｍ、又はＹのいずれの色相の信号であるのかを判定して、上記色変換−ＵＣＲ処理回路１０６で色変換のために使用される色変換係数を選択する。上記色変換−ＵＣＲ処理回路１０６は、色変換部とＵＣＲ（ＵｎｄｅｒＣｏｌｏｒ  Ｒｅｍｏｖａｌ）処理部とからなる。該色変換部は、スキャナ等の入力系の色分解特性とプリンタで使用される色材（色トナー）の分光特性の違いを補正して、忠実な色再現に必要なＹ、Ｍ及びＣそれぞれの色材の量を計算する部分である。この色変換部での色変換処理は次式に示すような、１次のマスキング方程式のマトリクス演算により実現できる。
（以下、余白）
【数１】
0003868028.tif 000002
ここで、上式のＲ’、Ｇ’及びＢ’は、それぞれＲ、Ｇ及びＢの補数を表す。マトリクス係数ａｉｊ（ｉ＝１〜３、ｊ＝１〜３）は色変換係数であり、上述のごとく入力系の色分解特性と、出力系（プリンタ）の分光特性によって決定されるものである。上式では、１次のマスキング方程式を用いたが、これに換えて、Ｂ’Ｇ’等の２次項あるいはさらに高次の項を用いるようにすれば、より精度よく色変換を行うことができる。また、色相によって演算式を変えたり、ノイゲハウアー方程式を用いるようにしてもよい。いずれにしても、Ｙ、Ｍ及びＣの値は、Ｂ’、Ｇ’及びＲ’（又は、Ｂ、Ｇ及びＲ）の値から求めることができる。
【００２３】
上記ＵＣＲ処理部は、Ｙ、Ｍ及びＣの３色が重なる部分（共通濃度部分）を、ＢＫに置き換えるためのＵＣＲ処理を行う。これは、Ｃ、Ｍ及びＹの３色を重ねると、理論的には黒になるはずであるが、実際は完全な黒とならず若干グレーバランスがくずれて再現されることを防止するためである。
このＵＣＲ処理は、次式を用いた演算により行うことができる。
【数２】
Ｙ’＝Ｙ−α・ｍｉｎ（Ｙ，Ｍ，Ｃ）
Ｍ’＝Ｍ−α・ｍｉｎ（Ｙ，Ｍ，Ｃ）
Ｃ’＝Ｃ−α・ｍｉｎ（Ｙ，Ｍ，Ｃ）
ＢＫ  ＝    α・ｍｉｎ（Ｙ，Ｍ，Ｃ）
ここで、数式２におけるαは、ＵＣＲの量を決める係数であり、α＝１のとき１００％ＵＣＲ処理となる。上記αは、一定値でも良いが、例えば、高濃度部では、αを１に近くし、ハイライト部では、αを０に近くすることにより、高濃度部での黒再現性をよくし、かつハイライト部での画像を滑らかにすることができる。
【００２４】
上記色変換−ＵＣＲ処理回路１０６の出力は、変倍回路１０７に入力される。この変倍回路１０７は、画像の縦横変倍を行う回路である。変倍回路１０７の出力は、インターフェース１１４を介して画像加工回路１０８に入力される。この画像加工回路１０８は、画像のリピート処理等の特定の画像加工を行う回路である。この画像加工回路１０８からの出力は、ＭＴＦフィルタ１０９に入力される。該ＭＴＦフィルタ１０９は、使用者の好みに応じて、画像の解像度を優先させるためのエッジ強調処理や、画像の階調性を優先させるための平滑化処理等の入力された信号の周波数特性を変更する処理を行う。このＭＴＦフィルタ１０９の出力信号は、判定回路１１０に入力される。
【００２５】
上記判定回路１１０は、本実施形態の特徴部である、一種類のトナーについてのトナー像の形成を複数回である２回に分けて行うか否かを判定するものである。この判定については後に詳述する。この判定回路１０１からの出力信号は、該判定回路１０１への入力信号と同一のものであり、入力画像信号としてγ補正回路１１０に入力される。このγ補正回路１１０は、従来から行われているγ補正（γ変換ともいう）を行う回路である。このγ補正は、プリンタ１１２の特性に応じて、画像信号変換テーブルを用いることによって、上記入力画像信号を出力画像信号に変換するものである。また、いわゆる地肌飛ばし等の処理も行うことができる。そして、本実施形態では上記判定回路１１０の判定結果に応じて一種類のトナーについてのトナー像の形成を２回に分けて行う場合と、一種類のトナーについてのトナー像の形成を１回で行う場合とに対応するため、上記画像信号変換テーブルを２種類備えている。これについても後に詳述する。
【００２６】
上記γ補正回路１１０からの出力画像信号は、階調処理回路１１１に入力される。この階調処理回路１１１は、ディザマトリクスを使ったディザ処理等を行い、入力された信号の階調を調整する。例えば、プリンタ１１２の階調表現力がスキャナ１０１の階調表現力よりも低い場合には、上記ディザマトリクスを使って、量子化処理を行う。
【００２７】
以上ようにして、スキャナ１０１からのデジタル信号は、シェーディング補正から階調処理までの一連の画像処理によって、画像データとなり、プリンタ１１２に出力される。
【００２８】
なお、図３におけるインターフェース１１３、１１４は、スキャナ１０１で読み込んだ原稿画像を外部の画像処理装置での処理のために当該外部の画像処理装置に送出したり、外部の画像処理装置から送られてきた画像データを受信し、プリンタで出力したりするためのものである。また、以上の画像処理部１２１を構成する各回路の制御を行うために、ＲＯＭ１１６、ＲＡＭ１１７及びＣＰＵ１１５が、バスライン１１８によって接続されている。そして、上記ＣＰＵ１１５は、シリアルインターフェースを介してメイン制御部１４５に接続されている。メイン制御部１１５は前述のスキャナ１０１の制御部やプリンタ１１２の制御部、さらには、複写機の操作部などと、図示しない信号線で結ばれ、全体のシステムコントローラとして機能する。このような機能を実現するため、上記メイン制御部１１５は、ＣＰＵ、該ＣＰＵで実行する制御用プログラム等を格納するＲＯＭ、該ＣＰＵで使用するデータを格納したり、その作業領域として使用したりするためのＲＡＭ、及び、該ＣＰＵと上記スキャナ１０１等や各種センサとのインターフェース等を行う入出力インターフェースを備えている。
【００２９】
プリンタ１１２に送られた画像データは、前述のレーザ光学系２０８におけるレーザダイオードの発光を制御するためのレーザ変調回路４００に入力される。上記レーザ変調回路４００について図４に基づいて説明する。
図４は、レーザ変調回路４００の回路ブロック図である。この回路４００に入力される画像データは、１画素８ビットからなる。この画像データは、ルックアップテーブル４０１を使用してγ変化された後、パルス幅変調回路４０２に入力される。このパルス幅変調回路４０２は、８ビットの画像データのうちの上位３ビットの信号に基づいてパルス幅を決定する。このパルス幅は、３ビットの信号で表現できる８の状態（８値）のうちから選択される。パルス幅が決定されると、パルス幅変調回路４０２の後段に設けられたパワー変調回路４０３によって、パワー変調、即ち発光強度（発光量）の変調が行われる。このパワー変調回路４０３によるパワー変調は、上記画像データの下位５ビットの信号に基づいて行われ、５ビットの信号で表現できる３２の状態（３２値）のなかから１つの状態が選択される。
【００３０】
こうして、パルス幅変調及びパワー変調を経た後の画像データに基づいて、レーザダイオード４０４が発光する。このレーザダイオードの発光強度を、フォトディテクタ４０５によってモニターし、該フォトディテクタ４０５の出力をパワー変調回路にフィードバックすることによって、１画素ごとの発光強度の補正を行う。
【００３１】
次に、本実施形態における特徴部である、感光体上での一種類のトナーを用いたトナー像形成を、必要に応じて２回に分けて行う制御について説明する。
本実施形態では、通常のトナーと同一の光学濃度を得るために、個数あるいは体積で、通常のトナーのほぼ２倍の量だけの感光体上付着量を得る必要がある熱焼結性トナーを使用するものとする。また、０階調レベルから２５５階調レベルまでの８ビット２５６階調のうち、１７８階調レベル以下の階調レベルの画素については、上記１７８階調レベルに相当するプリンタの上記発光ダイオードの発光強度が、通常のこの種のプリンタにおける最高濃度階調レベル（８ビット２５６階調であれば、２５５階調レベル）に相当する発光強度になるように、０階調レベル乃至１７８階調レベルに応じて各階調レベルごとに適宜発光強度を設定し、この設定で潜像を形成すれば、上記ほぼ２倍の感光体付着量が得られるものとする。更に、１７９階調レベルから２５５階調レベルまでの画素については、上記最高濃度階調レベルに相当する発光強度で潜像を形成したときの感光体付着量と、その階調レベルの数値から１７８を引いた数値（ｎ−１７８）の大きさに応じて上記発光強度を適宜設定し、この設定で潜像を形成したときの感光体付着量とで、上記ほぼ２倍の感光体付着量が得られるものとする。
【００３２】
本実施形態では、以上のように通常のトナーの２倍の付着量を、最終的な転写紙上で得るために、読み取った原稿についての、上記Ｙ’、Ｍ’、Ｃ’及びＢＫの各色ごとの画像データが、１画素につき０階調レベルから２５５階調レベルまでの８ビット２５６階調のうち、１７８階調レベル以下の階調レベルの画素のみである色については、その色の潜像形成、現像及び中間転写ベルト２０６への転写を１回でおこなう。一方、上記各色毎の画像データが、上記１７８階調レベルを越える階調レベルの画像を１つでも含んでいる色については、潜像形成、現像及び中間転写ベルト２０６への転写を、２回に分けて行う。
【００３３】
そして、上記潜像形成、現像及び中間転写ベルト２０６への転写を１回でおこなうときの潜像形成、及び、これを２回に分けて行う場合の１回目の潜像形成においては、上述のように、上記１７８階調レベルに相当するプリンタの上記発光ダイオードの発光強度が、通常のこの種のプリンタにおける最高濃度階調レベルに相当する発光強度になるように、０階調レベル乃至１７８階調レベルそれぞれに対応する発光強度を設定している。この設定のため、本実施形態では、上述のように、γ補正回路１１０に２種類の画像信号変換テーブルをさなえ、そのうちの一方の画像信号変換テーブル（以下、１回目用画像信号変換テーブルという）を、このような発光強度を得ることができるものにしている。
【００３４】
また、上記潜像形成、現像及び中間転写ベルト２０６への転写を２回に分けて行う場合の２回目の潜像形成においては、上記１７８階調レベル以下の画素については全て０階調レベルの上記発光ダイオードの発光強度に設定する一方、上記１７８階調レベルを越える画素については、階調レベル数ｎから１７８を引いた値（ｎ−１７８）に応じて不足分の感光体付着量を得られるように上記発光ダイオードの発光強度を設定している。この設定のため、本実施形態では、上記γ補正回路１１０の２種類の画像信号変換テーブルのうち、他方の画像信号変換テーブル（以下、２回目用画像信号変換テーブルという）を、このような発光強度を得ることができるものにしている。
【００３５】
図１は、以上の制御のフローチャートである。この制御例では、ＢＫ、Ｃ、Ｍ、Ｙの順に感光体上へのトナー像形成及び転写ベルトへの転写を行うものとする。まず、ＢＫについての上記１回目用画像信号変換テーブルを用いたトナー像形成及び転写をスタートさせる（ステップ１）。このトナー像形成にあたっての画像処理中、上記判定回路５０１で、すべての画素が１７８階調レベル以下であったか否により、２回目のトナー像形成及び転写ベルトへの転写が必要か否かを判定する（ステップ２）。この判定結果は、上記バスライン１１８、ＣＰＵ１１５等を介して必要に応じ、メイン制御部に取り込む。この判定結果が、２回目のトナー像形成及び転写ベルトへの転写が必要でないというものであると（ステップ２でＹ）、次のＣについてのトナー像形成及び転写に進む。これとは異なり、２回目のトナー像形成及び転写ベルトへの転写が必要であるという判定結果であると（ステップ２でＮ）、上記２回目用画像信号変換テーブルを用いたトナー像形成及び転写をスタートさせ（ステップ３）、次のＣについてのトナー像形成及び転写に進む。この２回目のトナー像形成及び転写のため、本実施形態では、再度スキャナ１０１を作動させ、再読み取りを行わせ、かつ、画像処理部１２１での処理も再度行う。以降、各色同様に、上記１回目用画像信号変換テーブルを用いたトナー像形成及び転写を行い（ステップ４、７、１０）、このトナー像形成にあたって上記判定回路５０１で判定した結果に応じ、必要な場合に、２回目のトナー像形成及び転写ベルトへの転写を行う。
【００３６】
以上、本実施形態においては、感光体上での一種類のトナーを用いたトナー像形成を、必要に応じて２回に分けて行うので、通常のトナーと同一の光学濃度を得るために、個数あるいは体積で、通常のトナーのほぼ２倍の量だけの感光体上付着量を得る必要がある熱焼結性トナーを使用し、通常のトナーを使用したときの色再現性に近づけることがてきる。
【００３７】
なお、上記実施形態では、２回目の作像にあたって、再度スキャナ１０１を作動させているが、適宜メモリを追加して設け、このメモリに少なくとも２回目の作像時に使用するための画像データを記憶させるようにしてもよい。
図６はこのようなメモリ５０２を用いる場合の画像処理部１２１の構成例、図８はその制御例についてのフローチャートである。図５において、１色の１スキャン分の画像データを記憶できるビットマップメモリ５０２が、判定回路５０１とγ補正回路１１０との間に追加して設けられ、かつ、バスライン１１８を介して書き込み及び読み出し制御可能になっている。その他は、図３のブロック図と同一である。図６において、この例の制御では、まず、１色目の画像データを、上記レモリに書き込み、この書き込みの間に判定回路５０１で、２回に分けて作像する必要があるか否かを判定する（ステップ１）。この判定の結果に応じ、１回のみ作像（ステップ２）、又は、２回の作像（ステップ３）を行い、順次、次の色についての同様の判定及び作像に進む（４、５、６、７、８、９、１０、１１、１２）。
【００３８】
図８（ａ）は、同様のメモリ５０２を追加した他の画像処理部１２１の構成例である。図８（ａ）において、これ例では、判定回路５０１の出力側が、上記メモリ５０２及びγ補正回路１１両方の入力側に接続されている。そして、このメモリ５０２出力をγ補正回路に入力できるように接続されている。その他は、図３のブロック図と同一である。この構成例は、判定回路５０１を通過した画像データを直接γ補正回路１１０に入力でき、しかも、これと並行してレモリ５０２にも書き込めるので、前述の図１のフローチャートと同様に、一色についての画像データの全てが判定回路１１０を通過し終わることを必要とする判定結果をまたずに、γ変換回路１１０以降の画像処理部に画像データを流して作像を開始させ、かつ、この間に上記メモリ５０２に１色についての１スキャン分の画像データを記憶して必要な場合の２回目の作像に使用することにより、再度のスキャンを省略するのに適している。
【００３９】
また、上記実施形態では、上記色変換−ＵＣＲ処理回路１０６で生成されたＹ’、Ｍ’、Ｃ’及びＢＫの各色ごとの画像データに基づき、必要に応じて２回に分けて最終的な転写紙上での所望のトナー付着量を得るための、プリンタ１１２に対する出力画像データを生成するために、画像処理部１２１において、判定回路５０１を設けるとともに、γ補正回路１１０に改良を加えたが、このγ補正回路１１０に改良を加えるのに代え、階調処理回路１１１に改良を加えてもよい。例えば、従来公知の階調処理の一つである、書き込み主走査方向に隣接した２画素分づつの書き込み値の和を該２画素に配分して、新たに、レーザ書き込み値を決定する階調処理に上記改良を加える場合、次のようになる。
即ち、１画素目の画素の書き込み値をｎ１とし、２画素目の書き込み値をｎ２とすると、上記潜像形成、現像及び中間転写ベルト２０６への転写を１回でおこなうときの潜像形成、及び、これを２回に分けて行う場合の１回目の潜像形成においては、以下のようにして、新たな１画素目の書き込み値ｎ１’と新たな２画素目の書き込み値ｎ２’とを決定する。
ｎ１＋ｎ２≦１７８  の場合
ｎ１’＝（２５５／１７８）・（ｎ１＋ｎ２）
ｎ２’＝０
１７８＜ｎ１＋ｎ２＜３５６  の場合
ｎ１’＝２５５
ｎ２’＝（２５５／１７８）・（ｎ１＋ｎ２−１７８）
３５６≦ｎ１＋ｎ２  の場合
ｎ１’＝２５５
ｎ２’＝２５５
一方、上記潜像形成、現像及び中間転写ベルト２０６への転写を２回に分けて行う場合の２回目の潜像形成においては、以下のようにして、新たな１画素目の書き込み値ｎ１’と新たな２画素目の書き込み値ｎ２’とを決定する。
ｎ１＋ｎ２＜３５６  の場合
ｎ１’＝０
ｎ２’＝０
３５６≦ｎ１＋ｎ２  の場合
ｎ１’＝０
ｎ２’＝（２５５／１７８）・（ｎ１＋ｎ２−３５６）
【００４０】
図８（ｂ）は、上記階調処理回路１１に改良を加え、かつ、前述の図８（ａ）の例と同様に、２回に分けて作像する場合の再度のスキャンを不要にするためのメモリ５０２を通過した場合に好適な画像処理部の構成例を示すものである。図８（ｂ）において、判定回路５０１がγ補正回路５０１の後段に設けられ、この判定回路５０１を通過した画像データを直接階調処理回路１１１に入力でき、しかも、これと並行してレモリ５０２にも書き込めるように構成されている。そして、構成例では、判定回路５０１から上記バスライン１１８、ＣＰＵ１１５等を介してメイン制御部に取り込んだ判定結果に基づき、階調処理回路１１１での処理を切り換える。
【００４１】
更に、上記実施形態や各変形例では、１７８階調レベルを２回に分けるか否かの基準にしたが、この基準は装置やトナーに応じ適宜設定できる。
また、１７８階調レベルを越える画素についてのみ２回に分けて作像されるようにしたが、トナーを付着させるべき全ての画素が２回に分けて作像されるようにしてもよい。
また、上記色変換−ＵＣＲ処理回路１０６で生成されたＹ’、Ｍ’、Ｃ’及びＢＫの各色ごとの画像データに基づいて、上記判定を行うのに代え、この回路１１０より前段の画像データに基づいて判定を行ってもよい。
また、２回に分けて作像するにあたり、感光体上にトナー像を形成するごとに転写ベルトへ転写し、更に他の色のトナー像も転写ベルト上で重ね合わせた後に転写紙に一括転写したが、これに代え、２回に分けたトナー像を感光体上で重ね合わせた後に一括して転写ベルトに転写したり、逆に、２回に分けたトナー像それぞれも含め、各トナー像を感光体上に形成する都度、転写ベルト及び転写紙に逐次転写したりしてもよい。後者の場合には、同じ転写紙を何度も転写位置に通すように搬送すればよい。
また、上記実施形態の装置は、中間転写ベルト上で各色のトナー像を重ね合わせる方式のものであるが、感光体上自体で各色のトナー像を重ね合わせた後、直接転写に転写する方式、感光体に対向するように設けられた転写紙クランプドラム上の転写紙に各色のトナー像を逐次転写する方式、各色に対応して感光体を複数設け、かつ、この複数の感光体のすべてに対向する搬送経路に沿って転写紙を搬送することにより、転写紙を複数の感光体に順次対向させて一回の転写紙搬送で、複数の感光体それぞれの上に形成したトナー像を転写する方式などにも適用できる。
また、２回に分けるのに代え、３回以上に分けて作像するようにしてもよい。
【００４２】
更に、上記実施形態においては、複写機の画像読取部１０１からの画像情報に基づいてカラー画像を形成しているが、複写機をプリンタ的態様で使用し、ホストコンピュータ等の外部装置からの画像情報に基づいてカラー画像を形成する場合にも、適用できる。
（以下、余白）
【００４３】
そして、複数回に分けて作像するにあたっては、他の色のトナー像も含め、同一色のトナー像が転写紙上で重ならないようにすることが好ましい。すなわち、複数回に分けて作像するトナー像についての２回目以降の動作は、転写紙上で異なる色のトナーからなるトナー像の上に重なるように行うことが好ましい。
また、後述するようにトナー像が形成された転写紙を、転写媒体として転写紙陶器等の被転写体の絵付けに使用する場合、該転写体上で、前記複数のトナー像が、透過性のよいトナーで構成されるトナー像ほど上記被転写体上で上方に位置するように、トナー像を形成することが望ましい。そのための、転写紙上でのトナー像の順番は、上記被転写体に転写するときに、トナー像の順番が逆転するか否かに応じて、設定する。すなわち、前述の図８に示す手順では、転写紙上でのトナー像の順番と、被転写体上でのトナー像の順番は逆転しないので、転写紙上でも、透過性のよいトナーで構成されるトナー像ほど上方に位置するように、トナー像を形成する。
【００４４】
以上の実施形態や変形例に係る装置を用いて、転写紙上にカラートナー像を形成し、さらに、このトナー像が形成された転写紙を用いて、前述の図８に示す手順で、陶磁器等の被転写体に焼結によって絵柄を形成できる。
【００４５】
まず、転写媒体としての転写紙９００としては、台紙９０１上に水溶性の糊層９０２を形成したものを使用する（図８（ａ））。
上記転写紙９００の糊層９０１の表面上に、上述した複写機の画像形成動作に従い、熱焼結性トナーによる画像の層（以下、絵柄層という。）９０３を形成する（図８（ｂ））。この絵柄層９０３は糊層９０２に接する側に、ＢＫ、Ｃ、Ｍ及びＹトナーによる画像情報に基づく画像が形成されている。
【００４６】
上記絵柄層９０３形成後の転写紙９００の絵柄層９０３及び糊層９０２の上に絵柄層保護用の樹脂層（以下、絵柄保持層という。）９０４を形成する（図８（ｃ））。この絵柄保持層９０４は、微粉体混合物をポリビニルアルコール５％水溶液に分散した中に上記画像形成後の転写紙を浸漬することにより、形成することが可能である。本実施形態においては、上記微粉体混合物として、Ｎａ2Ｏを１部、Ｋ2Ｏを２部、ＣａＯを１５部、ＰｂＯを２部、Ｂ2Ｏ3を１３部、Ａｌ2Ｏ3を２部、及びＳｉＯ2を３５部スタンプミルで粉砕後さらにヘンシェルミキサーで、混合し調合された微粉体混合物を用いた。
【００４７】
上記絵柄保持層９０４を形成した後の転写紙を、水に浸して、台紙９０１と絵柄層９０３及び絵柄保持層９０４との間にある糊層を溶出する。これによって、転写紙９００から台紙９０１を剥離する（図８（ｄ））。
台紙９０１が剥離され、絵柄層９０３と絵柄保持層９０４のみになったものを、陶磁器等の被転写体に貼り付ける（図８（ｅ））。そして、摂氏８００度から９００度程度で焼成する（図８（ｆ）。こうして、陶磁器等の被転写体に熱焼結性トナーによる画像を形成する。
【００４８】
上記画像形成工程では、台紙９０１を転写紙９００から剥離した後、絵柄層９０３を絵柄層と転写紙との図中の上下の関係そのままに、被転写体９０５表面に貼り付けている。これに対し、台紙９０１を転写紙から剥離する前に、絵柄層９０３を被転写体９０５の表面に向けて貼り付け、その後に台紙９０１を剥離するようにしてもよい。
この場合には、絵柄層の画像の表裏が反転することとなるので、光不透過度の大きいトナーのトナー像ほど被転写体上で下側になるように、予め転写紙上でのトナー像重ね合わせ順序を設定することが望ましい。また、上記複写機において転写媒体上への画像形成を画像の左右が逆となるいわゆるミラー像として形成することが望ましい。
【００４９】
ここで、熱焼結性トナーの具体例について説明する。
本実施形態において使用される熱焼結性トナーは、少なくとも熱焼結性着色材及び結着樹脂を主成分として構成されている。このトナーには、望ましくは、鉱化剤、焼結材、媒溶剤などが添加される。
【００５０】
上記熱焼結性着色材としては、金属酸化物として弁柄、クロムグリーンなど、金属酸化物の固溶体としてマンガンピンク、クロムアルミナグリーン、クロムチタンイエロー、バナジウムスズイエロー、アンチモンスズ灰味青、ライラック、バナジウムジルコニウムイエローなど、複酸化物として（Ｚｎ，Ｃｏ）Ｏ・Ａｌ2Ｏ3、ＺｎＯ・（Ａｌ，Ｃｒ）2Ｏ3、（Ｚｎ，Ｃｏ）Ｏ・（Ａｌ，Ｃｒ）2Ｏ3、ＺｎＯ・（Ａｌ，Ｃｒ，Ｆｅ）2Ｏ3、ＭｎＯ・Ｃｒ2Ｏ3、（Ｍｎ，Ｃｏ）Ｏ・（Ｃｒ，Ｆｅ）2Ｏ3、ＣｕＯ・Ｃｒ2Ｏ3など、複酸化物の固溶体としてアンチモンイエローなどが挙げられる。また、珪酸塩としてコバルトオリピン、ニッケルオリピン、ウバロバイトなど、珪酸塩の固溶体としてクロムスズピンク、バナジウムブルー、トルコブル−、プラセオジムイエロー、コーラルレッドなど、硫化物としてカドミウムオレンジなど、硫セレン化物としてカドミウムレッド、セレンレッド、マンダリンなどがあげられる。
【００５１】
熱焼結性着色材の融着性を向上させるため鉱化剤を使用することができる。鉱化剤としては、水酸化リチウム等のアルカリ金属やアルカリ土類金属の水酸化物、炭酸リチウム等のアルカリ金属やアルカリ士類金属の炭酸塩、アルカリ金属やアルカリ土類金属の塩化物、塩化アルミニウム、ほう酸、及びアルカリ金属やアルカリ土類金属のほう酸塩、アルカリ金属やアルカリ土類金属のメタほう酸塩、アルカリ金属やアルカリ土類金属のりん酸塩、アルカリ金属やアルカリ土類金属のピロリん酸塩、アルカリ金属やアルカリ土類金属の珪酸塩、アルカリ金属やアルカリ土類金属のメタ珪酸塩、珪酸ジルコニウム、骨灰、硼砂、メタバナジン酸アンモニウム、酸化タングステンや五酸化バナジウム、酸化スス、酸化ジルコニウム、酸化セリウム、酸化モリブデン等の金属酸化物、フッ化カルシウムやフッ化アルミニウム等の金属フッ化物、ガラスレット等を基本材料として、これらの単独または複数混合したものがあげられる。
【００５２】
焼結材としては、石灰長石やカリ長石、ソーダ長石、ベタライト（リチウム長石）等の長石額、カオリン、珪石、蝋石、アルミナ、シリカ、石英、酸化チタン、シャモット等を基本材料として、これらの単独または複数混合したものがあげられる。
【００５３】
また、焼成画像の彩度や色相、明度の調整剤として媒溶剤の適用が行われる。媒溶剤としては、土灰類、石灰石、マグネサイト、タルク、ドロマイト等の天然鉱物や炭酸バリウム、酸化亜鉛、炭酸ストロンチウム等の化合物等を基本材料として、これらの単独または複数混合したものがあげられる。
【００５４】
これらの鉱化剤や焼結材、媒溶剤は本発明の方法で使用される転写媒体の性質や構成成分、焼成物の成分組成によっては、必ずしも必要でないが、汎用性を高めるために、熱焼結性着色材とともに鉱化剤及び焼結材と媒溶剤を同時に使用することが好ましい。また、これらをあらかじめ混合したり、混合後溶融させ、いわゆるフリットを作成してもよい。
【００５５】
電子写真用のトナーとして適正な帯電特性や転写媒体上での定着特性を得るために、熱焼結性着色材と鉱化剤、焼結材、媒溶剤の総計は結着樹脂１００重量部に対し１２０重量部以下が好ましい。個々には、結着樹脂１００重量部に対して、熱焼結性着色剤１〜１２０重量部好ましくは１０〜１００重量部が使用できる。また、鉱化剤は０〜１００重量部が、焼結材は０〜４０重量部が、媒溶剤は０〜４０重量部が適当である。
上記熱焼結性着色材及び鉱化剤、焼結材、媒溶剤以外の材料に関しては公知の材料が全て使用可能である。
【００５６】
バインダー樹脂としては、ポリスチレン、ポリｐ−クロロスチレン、ポリビニルトルエンなどのスチレン及びその置換体の重合体；スチレン−ｐ−クロロスチレン共重合体、スチレン−プロピレン共重合体、スチレン−ビニルトルエン共重合体、スチレン−ビニルナフタレン共重合体、スチレン−アクリル酸メチル共重合体、スチレン−アクリル酸エチル共重合体、スチレン−アクリル酸ブチル共重合体、スチレン−アクリル酸オクチル共重合体、ステレン−メタクリル酸メチル共重合体、スチレン−メタクリル酸エチル共重合体、スチレン−メタクリル酸ブチル共重合体、スチレン−α−クロルメタクリル酸メチル共重合体、スチレン−アクリロニトリル共重合体、スチレン−ビニルメチルケトン共重合体、スチレンーブラジエン共重合体、スチレン−イソプレン共重合体、スチレン−アクリロニトリル−インデン共重合体、スチレン−マレイン酸共重合体、スチレン−マレイン酸エステル共重合体などのスチレン系共重合体；ポリメチルメタクリレ一ト、ポリプチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニル、ブチラール、ポリアクリル酸樹脂、ロジン、変性ロジン、テルペン樹脂、脂肪族又は脂環族炭化水素樹脂、芳香族系石油樹脂、塩素化パラフィン、パラフィンワックスなどが挙げられ、これらは単独であるいは混合して使用できる。
【００５７】
本実施形態で使用されるトナーには、必要に応じて帯電制御剤を含有してもよい。帯電制御剤としては公知のものが全て使用でき、例えばニグロシン系染料、トリフェニルメタン系染料、クロム含有金属錯体染料、モリブデン酸キレート顔料、ローダミン糸染料、アルコキシ系アミン、４級アンモニウム塩（フッ素変性４級アンモニウム塩を含む）、アルキルアミド、燐の単体または化合物、タングステンの単独または化合物、フッ素系活性剤、サリチル酸金属塩及び、サリチル酸誘導体の金属塩等であり、これらは複数が併用されてもよい。
【００５８】
上記荷電制御剤の使用量は、バインダー樹脂の種類、必要に応じて使用される添加剤の有無、分散方法を含めたトナー製造方法によって決定されるもので、一義的に限定されるものではないが、結着樹脂１００重量部に対して０．１〜１０重量部、好ましくは２〜５重量部の範囲である。０．１重量部未満ではトナーの帯電量が不足し実用的でない。１０重量部を越える場合にはトナーの帯電性が大きすぎ、キャリアとの静電的吸引力の増大のため、現像剤の流動性低下や、画像濃度の低下を招く。
【００５９】
また、トナーへのその他の添加物としては、例えばコロイド状シリカ、疎水性シリカ、脂肪酸金属塩（ステアリン酸亜鉛、ステアリン酸アルミニウムなど）、金属酸化物（酸化チタン、酸化アルミニウム、酸化錫、酸化アンチモンなど）、フルオロポリマー等があげられる。
【００６０】
【発明の効果】
請求項１乃至３の画像形成装置によれば、一種のトナーを用いて形成すべきトナー像についての前記画像情報に基づき、該トナー像の形成のための前記トナー像形成手段の全部あるいは一部の動作を、複数回に分けるか否かを判別し、この結果に基づいて、２回目以降の前記動作を行うので、単位面積あたり所望のトナー付着量を得ることが可能である。
特に、トナーとして熱焼結性着色剤と結着樹脂とを含むトナーを用い、かつ、上記動作が、トナー像担持体上へのトナー像の形成を含むので、トナー像担持体上への一回のトナー像形成動作について同担持体上のトナー付着量に制約がある場合にも、陶器等の被転写体に絵柄を形成するために用いる転写媒体上に、所望のトナー付着量のトナー像を形成できる。
また、互いに異なる種類の複数のトナーそれぞれで形成された複数のトナー像を形成するにあたり、該複数のトナー像のうち、請求項１の判別工程により上記動作を複数回に分けると判別されたトナー像についての上記２回目以降の動作を、上記転写媒体上で、異なる種類のトナーからなるトナー像の上に重なるように行うので、重ね合わされたトナー像中で、同一種類のトナーによるトナー像が連続することがない。よって、同一種類のトナーによるトナー像が連続して重なるようなトナー像に比して、画像形成装置における熱定着後の各種トナー同士の溶融による混ざり合い傾向の低下による色再現性の低下を、トナー像の重ね重ね合わせ順の混ぜ合わせにより軽減できる。
さらに、請求項２の画像形成装置においては、請求項１の画像形成装置において、互いに異なる種類の複数のトナーそれぞれで形成された複数のトナー像を形成するにあたり、上記転写媒体上で、前記複数のトナー像が、透過性のよいトナーで構成されるトナー像ほど、被転写体上で上方に位置するように、トナー像を形成するので、これと異なる順で位置するようにトナー像を形成する場合に比して、通常トナーより光不透過度の大きなトナーを用いることによる色再現性の低下を軽減できる。
【図面の簡単な説明】
【図１】一実施形態にかかる複写機の制御のフローチャート。
【図２】同複写機の概略構成図。
【図３】同複写機における画像処理部のブロック図。
【図４】同複写機の光書き込み制御部のブロック図。
【図５】変形例に係る画像処理部のブロック図。
【図６】同変形例に係る画像処理部に適した制御のフローチャート。
【図７】（ａ）及び（ｂ）はそれぞれ更に他の変形例に係る画像処理部のブロック図。
【図８】陶磁器等の被転写体に画像を形成する場合の工程を説明する説明図。
【符号の説明】
１０１    スキャナ
１０２    シェーディング補正回路
１０３    ＲＧＢγ補正回路
１０４    画像分離回路
１０５    ＭＴＦ補正回路
１０６    色変換−ＵＣＲ処理回路
１０７    変倍回路
１０８    画像加工回路
１０９    ＭＴＦフィルタ
１１０    γ補正回路
１１１    階調処理回路
１１２    プリンタ
１１３、１１４    インターフェース
１１５    ＣＰＵ
１１６    ＲＯＭ
１１７    ＲＡＭ
１１８    バスライン
１２０    コンピュータ
１２１    画像処理部
２０１    複写機
２０２    黒現像ユニット
２０３    シアン現像ユニット
２０４    マゼンタ現像ユニット
２０４ａ  現像スリーブ
２０４ｂ  剤撹拌部材
２０５    イエロー現像ユニット
２０６    中間転写ベルト
２０７    帯電装置
２０８    レーザ光学系
２０９    コンタクトガラス
２１０    露光ランプ（ハロゲンランプ）
２１１    反射ミラー
２１２    結像レンズ
２１３    ＣＣＤイメージセンサ
２１４    クリーニング装置
２１５    感光体
２１６    給紙ユニット
２１７    転写バイアスローラ
２１８    搬送ベルト
２１９    定着装置
２２０    排紙トレイ
２２１    バイアスローラ
２２２    ベルトクリーニング装置
５０１    判定回路
５０２    メモリ
９００    転写紙
９０１    台紙
９０２    糊層
９０３    絵柄層
９０４    絵柄保持層
９０５    被転写体
【図１】
0003868028.tif 000003
【図２】
0003868028.tif 000004
【図３】
0003868028.tif 000005
【図４】
0003868028.tif 000006
【図５】
0003868028.tif 000007
【図６】
0003868028.tif 000008
【図７】
0003868028.tif 000009
【図８】
0003868028.tif 000010